(57)【要約】【課題】コンピュータが稼動中に表示画像データを記録する場合におけるデータ量を減らしつつ、操作内容等を適切に確認可能にする。【解決手段】内容特定部２１は、対象装置５１が画面表示する内容である表示内容を特定する。品質決定部２２は、内容特定部２１によって特定された表示内容に応じて、取得する画像データの品質を決定する。データ取得部２３は、品質決定部２２によって決定された品質に従い、対象装置５１が画面表示する画像データである表示画像データを取得する。【選択図】図１
2020154377.tif 000002
【特許請求の範囲】
【請求項１】
対象装置が画面表示する内容である表示内容を特定する内容特定部と、
前記内容特定部によって特定された前記表示内容に応じて、取得する画像データの品質を決定する品質決定部と、
前記品質決定部によって決定された前記品質に従い、前記対象装置が画面表示する画像データである表示画像データを取得するデータ取得部と
を備える表示画像データ取得装置。
【請求項２】
前記内容特定部は、前記表示内容として、アクティブになっているウインドウであるアクティブウインドウを特定し、
前記品質決定部は、前記アクティブウインドウがどのアプリケーションのウインドウであるかに応じて、前記品質を決定する
請求項１に記載の表示画像データ取得装置。
【請求項３】
前記品質決定部は、アプリケーション毎に品質を記憶したアプリケーション情報を参照して、前記アクティブウインドウとなっているアプリケーションに対応する品質を特定することにより、前記品質を決定する
請求項２に記載の表示画像データ取得装置。
【請求項４】
前記内容特定部は、前記表示内容として、表示されている文字列を特定し、
前記品質決定部は、前記文字列に含まれるキーワードに応じて、前記品質を決定する
請求項１から３までのいずれか１項に記載の表示画像データ取得装置。
【請求項５】
前記品質決定部は、キーワード毎に品質を記憶したキーワード情報を参照して、前記文字列に含まれるキーワードに対応する品質を特定することにより、前記品質を決定する
請求項４に記載の表示画像データ取得装置。
【請求項６】
前記品質決定部は、曜日と時刻との少なくともいずれかに応じて、前記品質を決定する請求項１から５までのいずれかに記載の表示画像データ取得装置。
【請求項７】
前記品質決定部は、曜日と時刻との少なくともいずれか毎に品質を記憶したスケジュール情報を参照して、現在の曜日と現在の時刻との少なくともいずれかに対応する品質を特定することにより、前記品質を決定する
請求項６に記載の表示画像データ取得装置。
【請求項８】
前記品質は、単位時間当たりの前記表示画像データの取得数を示すレートと、圧縮率との少なくともいずれかである
請求項１から７までのいずれか１項に記載の表示画像データ取得装置。
【請求項９】
内容特定部が、対象装置が画面表示する内容である表示内容を特定し、
品質決定部が、特定された前記表示内容に応じて、取得する画像データの品質を決定し、
データ取得部が、決定された前記品質に従い、前記対象装置が画面表示する画像データである表示画像データを取得する表示画像データ取得方法。
【請求項１０】
対象装置が画面表示する内容である表示内容を特定する内容特定処理と、
前記内容特定処理によって特定された前記表示内容に応じて、取得する画像データの品質を決定する品質決定処理と、
前記品質決定処理によって決定された前記品質に従い、前記対象装置が画面表示する画像データである表示画像データを取得するデータ取得処理と
を行う表示画像データ取得装置としてコンピュータを機能させる表示画像データ取得プログラム。
【発明の詳細な説明】
【技術分野】
【０００１】
この発明は、コンピュータの表示画像データを取得する技術に関する。
【背景技術】
【０００２】
ＰＣ（Ｐｅｒｓｏｎａｌ  Ｃｏｍｐｕｔｅｒ）といったコンピュータの普及に伴い、コンピュータを利用した不正も増加している。そのため、監視カメラによるユーザ監視だけでなく、コンピュータの表示画像データを記録することが必要になってきている。
【０００３】
特許文献１のように、コンピュータの操作内容のログを取ることにより、コンピュータの利用状況を監視することも考えられる。しかし、コンピュータの操作内容はログに残る場合もあるが、ログにのこらない細かな操作もある。また、コンピュータが破損し何が行われていたか明確にならない場合もある。そのため、コンピュータの表示画像データを監視又は記録することが有効である。
【先行技術文献】
【特許文献】
【０００４】
【特許文献１】特開２００９−０３２０７８号公報
【発明の概要】
【発明が解決しようとする課題】
【０００５】
コンピュータが稼動中に常に表示画像データを記録すると、データ量が大きくなってしまう。そのため、表示画像データを長期間保存することが難しい。一方で、表示画像データのデータ量をむやみに減らすと、表示画像データを確認する際、必要な確認ができないといったことが起こり得る。
この発明は、コンピュータが稼動中に表示画像データを記録する場合におけるデータ量を減らしつつ、適切な確認を可能にすることを目的とする。
【課題を解決するための手段】
【０００６】
この発明に係る表示画像データ取得装置は、
対象装置が画面表示する内容である表示内容を特定する内容特定部と、
前記内容特定部によって特定された前記表示内容に応じて、取得する画像データの品質を決定する品質決定部と、
前記品質決定部によって決定された前記品質に従い、前記対象装置が画面表示する画像データである表示画像データを取得するデータ取得部と
を備える。
【０００７】
前記内容特定部は、前記表示内容として、アクティブになっているウインドウであるアクティブウインドウを特定し、
前記品質決定部は、前記アクティブウインドウがどのアプリケーションのウインドウであるかに応じて、前記品質を決定する。
【０００８】
前記品質決定部は、アプリケーション毎に品質を記憶したアプリケーション情報を参照して、前記アクティブウインドウとなっているアプリケーションに対応する品質を特定することにより、前記品質を決定する。
【０００９】
前記内容特定部は、前記表示内容として、表示されている文字列を特定し、
前記品質決定部は、前記文字列に含まれるキーワードに応じて、前記品質を決定する。
【００１０】
前記品質決定部は、キーワード毎に品質を記憶したキーワード情報を参照して、前記文字列に含まれるキーワードに対応する品質を特定することにより、前記品質を決定する。
【００１１】
前記品質決定部は、曜日と時刻との少なくともいずれかに応じて、前記品質を決定する。
【００１２】
前記品質決定部は、曜日と時刻との少なくともいずれか毎に品質を記憶したスケジュール情報を参照して、現在の曜日と現在の時刻との少なくともいずれかに対応する品質を特定することにより、前記品質を決定する。
【００１３】
前記品質は、単位時間当たりの前記表示画像データの取得数を示すレートと、圧縮率との少なくともいずれかである。
【００１４】
この発明に係る表示画像データ取得方法は、
内容特定部が、対象装置が画面表示する内容である表示内容を特定し、
品質決定部が、特定された前記表示内容に応じて、取得する画像データの品質を決定し、
データ取得部が、決定された前記品質に従い、前記対象装置が画面表示する画像データである表示画像データを取得する。
【００１５】
この発明に係る表示画像データ取得プログラムは、
対象装置が画面表示する内容である表示内容を特定する内容特定処理と、
前記内容特定処理によって特定された前記表示内容に応じて、取得する画像データの品質を決定する品質決定処理と、
前記品質決定処理によって決定された前記品質に従い、前記対象装置が画面表示する画像データである表示画像データを取得するデータ取得処理と
を行う表示画像データ取得装置としてコンピュータを機能させる。
【発明の効果】
【００１６】
この発明では、表示内容に応じて品質を決定し、決定された品質に従い表示画像データを取得する。そのため、重要な表示内容については、高い品質で表示画像データを取得しつつ、重要でない表示内容については、低い品質で表示画像データを取得するといったことが可能になる。その結果、コンピュータが稼動中に表示画像データを記録する場合におけるデータ量を減らしつつ、適切な確認を可能にすることが可能である。
【図面の簡単な説明】
【００１７】
【図１】実施の形態１に係る表示画像データ取得装置１０の構成図。
【図２】実施の形態１に係るアプリケーション情報３１の説明図。
【図３】実施の形態１に係るキーワード情報３２の説明図。
【図４】実施の形態１に係るスケジュール情報３３の説明図。
【図５】実施の形態１に係る表示画像データ取得装置１０の全体的な動作を示すフローチャート。
【図６】実施の形態１に係る品質決定処理のフローチャート。
【図７】実施の形態１に係る表示画像データ取得装置１０の動作の具体例の説明図。
【図８】変形例３に係る表示画像データ取得装置１０の構成図。
【図９】変形例３に係る表示画像データ取得装置１０の他の構成を示す図。
【図１０】変形例４に係る表示画像データ取得装置１０の構成図。
【図１１】変形例６に係る表示画像データ取得装置１０の構成図。
【発明を実施するための形態】
【００１８】
実施の形態１．
＊＊＊構成の説明＊＊＊
図１を参照して、実施の形態１に係る表示画像データ取得装置１０の構成を説明する。
表示画像データ取得装置１０は、コンピュータである。
表示画像データ取得装置１０は、対象装置５１が画面表示する画像データである表示画像データを取得して、データ記録装置５２に書き込む。
【００１９】
表示画像データ取得装置１０は、プロセッサ１１と、メモリ１２と、ストレージ１３と、通信インタフェース１４とのハードウェアを備える。プロセッサ１１は、信号線を介して他のハードウェアと接続され、これら他のハードウェアを制御する。
【００２０】
プロセッサ１１は、プロセッシングを行うＩＣ（Ｉｎｔｅｇｒａｔｅｄ  Ｃｉｒｃｕｉｔ）である。プロセッサ１１は、具体例としては、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
【００２１】
メモリ１２は、データを一時的に記憶する記憶装置である。メモリ１２は、具体例としては、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）である。
【００２２】
ストレージ１３は、データを保管する記憶装置である。ストレージ１３は、具体例としては、ＨＤＤ（Ｈａｒｄ  Ｄｉｓｋ  Ｄｒｉｖｅ）である。また、ストレージ１３は、ＳＤ（登録商標，Ｓｅｃｕｒｅ  Ｄｉｇｉｔａｌ）メモリカード、ＣＦ（ＣｏｍｐａｃｔＦｌａｓｈ，登録商標）、ＮＡＮＤフラッシュ、フレキシブルディスク、光ディスク、コンパクトディスク、ブルーレイ（登録商標）ディスク、ＤＶＤ（Ｄｉｇｉｔａｌ  Ｖｅｒｓａｔｉｌｅ  Ｄｉｓｋ）といった可搬記録媒体であってもよい。
【００２３】
通信インタフェース１４は、対象装置５１及びデータ記録装置５２といった外部の装置と通信するためのインタフェースである。通信インタフェース１４は、具体例としては、Ｅｔｈｅｒｎｅｔ（登録商標）、ＵＳＢ（Ｕｎｉｖｅｒｓａｌ  Ｓｅｒｉａｌ  Ｂｕｓ）、ＨＤＭＩ（登録商標，Ｈｉｇｈ−Ｄｅｆｉｎｉｔｉｏｎ  Ｍｕｌｔｉｍｅｄｉａ  Ｉｎｔｅｒｆａｃｅ）のポートである。
【００２４】
表示画像データ取得装置１０は、機能構成要素として、内容特定部２１と、品質決定部２２と、データ取得部２３とを備える。表示画像データ取得装置１０の各機能構成要素の機能はソフトウェアにより実現される。
ストレージ１３には、表示画像データ取得装置１０の各機能構成要素の機能を実現するプログラムが格納されている。このプログラムは、プロセッサ１１によりメモリ１２に読み込まれ、プロセッサ１１によって実行される。これにより、表示画像データ取得装置１０の各機能構成要素の機能が実現される。
【００２５】
ストレージ１３は、アプリケーション情報３１と、キーワード情報３２と、スケジュール情報３３とを記憶する。
【００２６】
図１では、プロセッサ１１は、１つだけ示されていた。しかし、プロセッサ１１は、複数であってもよく、複数のプロセッサ１１が、各機能を実現するプログラムを連携して実行してもよい。
【００２７】
＊＊＊動作の説明＊＊＊
図２から図７を参照して、実施の形態１に係る表示画像データ取得装置１０の動作を説明する。
実施の形態１に係る表示画像データ取得装置１０の動作は、実施の形態１に係る表示画像データ取得方法に相当する。また、実施の形態１に係る表示画像データ取得装置１０の動作は、実施の形態１に係る表示画像データ取得プログラムの処理に相当する。
【００２８】
実施の形態１に係る表示画像データ取得装置１０の動作の前提となる事前設定について説明する。事前設定では、アプリケーション情報３１と、キーワード情報３２と、スケジュール情報３３とがユーザによって設定される。
【００２９】
図２を参照して、実施の形態１に係るアプリケーション情報３１を説明する。
アプリケーション情報３１は、アプリケーション毎に品質を記憶した情報である。
アプリケーションには、アプリケーション名と、パスとが含まれる。アプリケーション名は、アプリケーションを識別するための名称である。パスは、アプリケーションの実行ファイルが記憶された位置を示す。
品質は、単位時間（ここでは、１秒）当たりの取得数を示すレートと、圧縮率との少なくともいずれかである。実施の形態１では、品質は、レート及び圧縮率とする。また、実施の形態１では、表示画像データをＪＰＥＧ形式に変換して記憶するものとし、圧縮率はＪＰＥＧ形式に変換する際に引数で指定する品質とする。なお、圧縮率は、ＪＰＥＧ形式に変換する際に引数で指定する品質に限らず、例えば表示画像データの解像度であってもよい。
【００３０】
アプリケーション情報３１には、不正が行われる可能性が高いアプリケーションほど、高い品質が設定される。図２では、顧客管理台帳と発注管理といった、情報の不正取得等がされる可能性が高いと認められるアプリケーションに、高い品質が設定されている。高い品質とは、単位時間当たりの取得数が多いレートと、低い圧縮率とである。
なお、レートは、単位時間当たりの取得数を多くすることにより、操作の流れが詳細に確認できるようになり、圧縮率は、低くすることにより、鮮明なデータとなり、細かな文字についても確認できるようになるというように、レートと圧縮率との持つ意味は異なる。
【００３１】
図３を参照して、実施の形態１に係るキーワード情報３２を説明する。
キーワード情報３２は、キーワード毎に品質を記憶した情報である。品質は、アプリケーション情報３１における品質と同じである。
キーワードは、特別な品質を指定する文字列である。図３では、社外秘と、極秘と、売上と、損益と、連絡網といった文字列がキーワードとして設定されている。これらの文字列が含まれる文書データは、情報の不正取得等がされる可能性が高いと認められるためである。
【００３２】
図４を参照して、実施の形態１に係るスケジュール情報３３を説明する。
スケジュール情報３３は、曜日と時刻との少なくともいずれか毎に品質を記憶した情報である。品質は、アプリケーション情報３１における品質と同じである。
曜日及び時刻は、特別な品質を指定する曜日及び時刻である。図４では、日曜（休日）と、夜間といった曜日及び時刻が設定されている。これらの曜日及び時刻は、オフィスに人が少なく、情報の不正取得等がされる可能性が高いと認められるためである。
【００３３】
図５を参照して、実施の形態１に係る表示画像データ取得装置１０の全体的な動作を説明する。
表示画像データ取得装置１０は、例えば３秒毎といった定期的に図５の処理を実行する。
【００３４】
（ステップＳ１：内容特定処理）
内容特定部２１は、対象装置５１が画面表示する内容である表示内容を特定する。例えば、内容特定部２１は、対象装置５１に実装されたエージェントプログラムと通信することにより、表示内容を特定する。
具体的には、内容特定部２１は、表示内容として、アクティブになっている、つまり操作対象になっているウインドウであるアクティブウインドウのアプリケーションを特定する。この際、内容特定部２１は、アクティブウインドウのハンドルから、アクティブウインドウとなっているアプリケーションの実行ファイルのパスを特定することにより、アクティブウインドウのアプリケーションを特定する。
また、内容特定部２１は、表示内容として、表示されている文字列を特定する。この際、内容特定部２１は、対象装置５１の画面のキャプチャ画像を表示画像データとして取得し、文字認識技術を用いて表示画像データから文字列を抽出することにより、表示されている文字列を特定する。
【００３５】
（ステップＳ２：品質決定処理）
品質決定部２２は、ステップＳ１で特定された表示内容に応じて、取得する画像データの品質を決定する。実施の形態１では、品質決定部２２は、品質として、レート及び圧縮率とを決定する。品質決定処理について詳しくは後述する。
【００３６】
（ステップＳ３：データ取得処理）
データ取得部２３は、ステップＳ２で決定された品質に従い、対象装置５１が画面表示する画像データである表示画像データを取得して、取得された表示画像データをデータ記録装置５２に書き込む。
実施の形態１では、データ取得部２３は、単位時間当たりに、ステップＳ２で決定されたレートが示す取得数の表示画像データを取得する。この際、データ取得部２３は、ステップＳ２で決定された圧縮率で表示画像データを圧縮した上で、表示画像データをデータ記録装置５２に書き込む。つまり、データ取得部２３は、ステップＳ２で決定された圧縮率を示す品質を引数として指定して、表示画像データをＪＰＥＧ変換した上で、ＪＰＥＧ変換された表示画像データをデータ記録装置５２に書き込む。なお、データ取得部２３は、ＪＰＥＧ変換された表示画像データとともに、ステップＳ１で特定された表示内容と、曜日及び時刻とをデータ記録装置５２に書き込む。
【００３７】
図６を参照して、実施の形態１に係る品質決定処理（図５のステップＳ２）を説明する。
（ステップＳ２１：アプリケーション判定処理）
品質決定部２２は、アクティブウインドウがどのアプリケーションのウインドウであるかに応じて、品質を決定する。
具体的には、品質決定部２２は、アプリケーション情報３１を参照して、ステップＳ１で特定されたアクティブウインドウのアプリケーションの実行ファイルのパスに対応する品質を特定することにより、品質を決定する。
【００３８】
（ステップＳ２２：キーワード判定処理）
品質決定部２２は、文字列に含まれるキーワードに応じて、品質を決定する。
具体的には、品質決定部２２は、キーワード情報３２を参照して、ステップＳ１で特定された文字列に含まれるキーワードに対応する品質を特定することにより、品質を決定する。なお、ステップＳ１で特定された文字列に含まれるキーワードがキーワード情報３２に設定されていない場合には、品質決定部２２は、標準値を品質として決定する。
この際、特定された文字列に複数のキーワードが含まれている場合には、品質決定部２２は、複数のキーワードに対応する品質のうち、最も高い品質を特定する。実施の形態１では、品質は、レート及び圧縮率である。そのため、レート及び圧縮率それぞれについて最も高い品質が特定される。つまり、品質決定部２２は、複数のキーワードに対応するレートのうち単位時間当たりの取得数が最も多いレートを特定するとともに、複数のキーワードに対応する圧縮率のうち最も低い圧縮率が特定される。
【００３９】
（ステップＳ２３：スケジュール判定処理）
品質決定部２２は、スケジュール情報３３を参照して、現在の曜日と現在の時刻との少なくともいずれかに対応する品質を特定することにより、品質を決定する。なお、現在の曜日と現在の時刻との少なくともいずれかに対応するスケジュールがスケジュール情報３３に設定されていない場合には、品質決定部２２は、標準値を品質として決定する。
【００４０】
（ステップＳ２４：総合判定処理）
品質決定部２２は、ステップＳ２１からステップＳ２３で決定された品質のうち、最も高い品質を採用する。
実施の形態１では、品質は、レート及び圧縮率である。そのため、品質決定部２２は、ステップＳ２１からステップＳ２３で決定されたレートのうち、単位時間当たりの取得数が最も多いレートを採用する。また、品質決定部２２は、ステップＳ２１からステップＳ２３で決定された圧縮率のうち、最も低い圧縮率を採用する。
【００４１】
図７を参照して、実施の形態１に係る表示画像データ取得装置１０の動作の具体例を説明する。
対象装置５１では、アクティブウインドウのアプリケーションが顧客管理台帳であり、総合と国際と海外と経済と社外秘といった文字列が表示されているとする。また、現在は、火曜日の９：３０であるとする。
すると、図５のステップＳ１では、内容特定部２１によって、アクティブウインドウのアプリケーションが顧客管理台帳であること、及び、総合と国際と海外と経済と社外秘といった文字列が表示されていることが特定される。図６のステップＳ２１では、顧客管理台帳に対応する品質として、レート“５”と、圧縮率であるＪＰＥＧの品質“６０”とが特定される。また、図６のステップＳ２２では、社外秘に対応するレート“７”と、圧縮率であるＪＰＥＧの品質“５０”とが特定される。また、図６のステップＳ２３では、火曜日の９時半に対応するレート“２”と、圧縮率であるＪＰＥＧの品質“４０”とが特定される。その結果、図６のステップＳ２４では、レート“７”と、ＪＰＥＧの品質“６０”とが採用される。
そして、図５のステップＳ３では、データ取得部２３は、レート“７”に従い、１秒当たり７回、表示画像データを取得する。そして、データ取得部２３は、ＪＰＥＧの品質“６０”に従い、表示画像データをＪＰＥＧ画像に変換した上で、データ記録装置５２に書き込む。
【００４２】
＊＊＊実施の形態１の効果＊＊＊
以上のように、実施の形態１に係る表示画像データ取得装置１０は、表示内容及び曜日・時刻に応じて品質を決定し、決定された品質に従い表示画像データを取得する。そのため、不正な情報取得等が行われる可能性が高い重要な表示内容、又は、曜日・時刻については、高い品質で表示画像データを取得しつつ、重要でない表示内容及び曜日・時刻については、低い品質で表示画像データを取得するといったことが可能になる。
その結果、コンピュータが稼動中に表示画像データを記録する場合におけるデータ量を減らしつつ、適切な確認を可能にすることが可能である。つまり、重要な表示画像データについては滑らかで鮮明な状態で記録しておくことにより、詳細な確認を可能とする。一方、重要でない表示画像データについては多少粗く不鮮明な状態で記録しておくことにより、データ量を減らす。
【００４３】
また、実施の形態１に係る表示画像データ取得装置１０は、表示画像データとともに、表示内容と、曜日及び時刻とを記憶しておく。そのため、表示内容と、曜日及び時刻とから確認が必要な表示画像データを絞り込むことが可能である。その結果、効率的に表示画像データを確認することが可能である。
【００４４】
＊＊＊他の構成＊＊＊
＜変形例１＞
実施の形態１では、表示画像データ取得装置１０は、対象装置５１の外部に設けられた。表示画像データ取得装置１０は、対象装置５１の内部に実装されてもよい。この場合には、表示画像データ取得装置１０の各機能構成要素の機能を実現するプログラムが対象装置５１のプロセッサによって実行され、各機能構成要素の機能が実現されることになる。
【００４５】
＜変形例２＞
実施の形態１では、表示画像データ取得装置１０は、表示内容と、曜日及び時刻とに応じて、表示画像データ全体の品質を変更した。表示画像データ取得装置１０は、表示内容と、曜日及び時刻とに応じて、表示画像データの部分毎に品質を変更するようにしてもよい。
例えば、アクティブウインドウのアプリケーションが特定のアプリケーションである場合には、アクティブウインドウの品質は高くしつつ、他の部分の品質を低くしてもよい。具体例としては、アクティブウインドウは、レート“７”とし、他の部分はレート“０”としてもよい。レート“０”とは、表示画像データを取得しないことを意味する。
【００４６】
＜変形例３＞
実施の形態１では、表示画像データ取得装置１０は表示画像データを取得してデータ記録装置５２に記憶した。図８に示すように、表示画像データ取得装置１０は、表示画像データを取得するとともに、カメラ５３により対象装置５１の周辺を撮影して撮影データを取得してもよい。そして、表示画像データ取得装置１０は、同じ時刻に取得された表示画像データと撮影データとを関連付けてデータ記録装置５２に書き込んでもよい。
撮影データを表示画像データと関連付けて記憶しておくことにより、表示画像データだけでは特定できない不正を特定することが可能になる。例えば、対象装置５１が機密情報を表示しているときに、対象装置５１の表示装置をユーザが撮影して、機密情報を不正に取得することが考えられる。この場合には、表示画像データだけでは、機密情報を表示していたことしか特定できないが、撮影データを参照することにより、機密情報を表示した対象装置５１の表示装置をユーザが撮影していたことを特定することが可能になる。
【００４７】
なお、図９に示すように、撮影データは、カメラ５３から直接データ記録装置５２に書き込まれるように構成してもよい。
【００４８】
＜変形例４＞
実施の形態１では、表示画像データをデータ記録装置５２に記憶すると説明した。図１０に示すように、データ記録装置５２に記憶された表示画像データは、リアルタイムにビューアを備えた監視用端末５４に送信され、表示されてもよい。また、データ記録装置５２に記憶された表示画像データは、監視用端末５４の要求に従い、監視用端末５４に送信され、表示されてもよい。監視用端末５４は、例えば、曜日又は時刻により、取得したい表示画像データを指定し、データ記録装置５２に送信させることが考えられる。
【００４９】
＜変形例５＞
実施の形態１では、対象装置５１は１台だけであった。対象装置５１は、複数台あってもよい。この場合には、表示画像データ取得装置１０は、対象装置５１毎に、アプリケーション情報３１とキーワード情報３２とスケジュール情報３３とを記憶する。２つ以上の対象装置５１に同じ設定をする場合には、アプリケーション情報３１とキーワード情報３２とスケジュール情報３３とをコピーして設定すればよい。
【００５０】
＜変形例６＞
実施の形態１では、各機能構成要素がソフトウェアで実現された。しかし、変形例６として、各機能構成要素はハードウェアで実現されてもよい。この変形例６について、実施の形態１と異なる点を説明する。
【００５１】
図１１を参照して、変形例６に係る表示画像データ取得装置１０の構成を説明する。
各機能構成要素がハードウェアで実現される場合には、表示画像データ取得装置１０は、プロセッサ１１とメモリ１２とストレージ１３とに代えて、電子回路１５を備える。電子回路１５は、各機能構成要素と、メモリ１２と、ストレージ１３との機能とを実現する専用の回路である。
【００５２】
電子回路１５としては、単一回路、複合回路、プログラム化したプロセッサ、並列プログラム化したプロセッサ、ロジックＩＣ、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）が想定される。
各機能構成要素を１つの電子回路１５で実現してもよいし、各機能構成要素を複数の電子回路１５に分散させて実現してもよい。
【００５３】
＜変形例７＞
変形例７として、一部の各機能構成要素がハードウェアで実現され、他の各機能構成要素がソフトウェアで実現されてもよい。
【００５４】
プロセッサ１１とメモリ１２とストレージ１３と電子回路１５とを処理回路という。つまり、各機能構成要素の機能は、処理回路により実現される。
【００５５】
以上、この発明の実施の形態及び変形例について説明した。これらの実施の形態及び変形例のうち、いくつかを組み合わせて実施してもよい。また、いずれか１つ又はいくつかを部分的に実施してもよい。なお、この発明は、以上の実施の形態及び変形例に限定されるものではなく、必要に応じて種々の変更が可能である。
【符号の説明】
【００５６】
１０  表示画像データ取得装置、１１  プロセッサ、１２  メモリ、１３  ストレージ、１４  通信インタフェース、１５  電子回路、２１  内容特定部、２２  品質決定部、２３  データ取得部、３１  アプリケーション情報、３２  キーワード情報、３３  スケジュール情報、５１  対象装置、５２  データ記録装置、５３  カメラ、５４  監視用端末。
【図１】
2020154377.tif 000003
【図２】
2020154377.tif 000004
【図３】
2020154377.tif 000005
【図４】
2020154377.tif 000006
【図５】
2020154377.tif 000007
【図６】
2020154377.tif 000008
【図７】
2020154377.tif 000009
【図８】
2020154377.tif 000010
【図９】
2020154377.tif 000011
【図１０】
2020154377.tif 000012
【図１１】
2020154377.tif 000013